(57)【要約】【課題】  使用者が手を乾燥させる手挿入部に手を置かなくてもノズルからの空気流の位置を確認できる使い勝手のよい手乾燥装置を得ることを目的とする。【解決手段】  手挿入部を形成する壁面の少なくとも一方の壁面に設けられた空気流を吹き出すノズルと照射光を照射する照明装置とを備え、手挿入部を形成し対向する他方の壁面に照明装置からの照射光の像を投映させるとともに、照射光の像の側面方向の幅がノズルの側面方向の幅と同等か又は照射光の像の側面方向の幅がノズルの側面方向の幅より短かく、かつ照射光の像の側面方向の中心とノズルの側面方向の中心が同じ位置である。【選択図】  図２
2014064820.tif 000002
【特許請求の範囲】
【請求項１】
外郭を形成するケーシングにより形成され正面または上面に向って開口した手挿入部と、前記手挿入部を形成する壁面の少なくとも一方の壁面に設けられ前記手挿入部へ空気流を吹き出すノズルと、前記壁面に設けられ前記手挿入部の手の有無を検知する手検知センサと、前記壁面に設けられ前記手挿入部へ照射光を照射する照明装置と、前記ケーシングに収納され前記ノズルから空気流を吹き出させる空気流発生装置と、前記手検知センサの検知信号に応じて前記空気流発生装置の運転を制御する制御回路と、を備え、
前記手挿入部を形成し前記壁面と対向する他方の壁面に前記照明装置からの照射光の像を投映させるとともに、前記照射光の像の側面方向の幅が前記ノズルの側面方向の幅と同等か又は前記照射光の像の側面方向の幅が前記ノズルの側面方向の幅より短く、かつ前記照射光の像の側面方向の中心と前記ノズルの側面方向の中心が同じ位置であることを特徴とする手乾燥装置。
【請求項２】
前記照明光の側面方向の幅が、前記一方の壁面から前記他方の壁面に向って大きくなっていることを特徴とする請求項１に記載の手乾燥装置。
【請求項３】
前記手挿入部に設けられた前記手検知センサは、距離を検知する測距式のセンサ一つで構成され、前記ノズルの側面方向の中心位置から側面方向へずらした位置に設けられていることを特徴とする請求項１に記載の手乾燥装置。
【請求項４】
前記手検知センサは、前記ノズルの側面方向の中心位置から側面方向へ１．５ｍｍ〜４１ｍｍの範囲にずらしていることを特徴とする請求項３に記載の手乾燥装置。
【請求項５】
外郭を形成するケーシングにより形成され正面に向って開口した手挿入部と、前記手挿入部の上面を形成する壁面に設けられ前記手挿入部へ向って下方に空気流を吹き出すノズルと、前記壁面に設けられ前記手挿入部の手の有無を検知する手検知センサと、前記壁面に設けられ前記手挿入部に向って下方へ照射光を照射する照明装置と、前記ケーシングに収納され前記ノズルから空気流を吹き出させる空気流発生装置と、前記手検知センサの検知信号に応じて前記空気流発生装置の運転を制御する制御回路と、を備え、
前記手挿入部の下面を形成する水受け部に前記照明装置からの照射光の像を投映させることを特徴とする手乾燥装置。
【請求項６】
前記照射光の像の側面方向の幅が前記ノズルの側面方向の幅と同等か又は前記照射光の像の側面方向の幅が前記ノズルの側面方向の幅より短く、かつ前記照射光の像の側面方向の中心と前記ノズルの側面方向の中心が同じ位置であることを特徴とする請求項５に記載の手乾燥装置。
【請求項７】
前記照明光の側面方向の幅が、前記壁面から前記水受け部に向って大きくなっていることを特徴とする請求項５に記載の手乾燥装置。
【請求項８】
前記手挿入部に設けられた前記手検知センサは、距離を検知する測距式のセンサ一つで構成され、前記ノズルの側面方向の中心位置から側面方向へずらした位置に設けられていることを特徴とする請求項５に記載の手乾燥装置。
【請求項９】
前記手検知センサは、前記ノズルの側面方向の中心位置から側面方向へ１．５ｍｍ〜４１ｍｍの範囲にずらしていることを特徴とする請求項５に記載の手乾燥装置。
【発明の詳細な説明】
【技術分野】
【０００１】
本発明は、洗浄後の濡れた手に空気を吹き付けて衛生的に乾燥させる手乾燥装置に関するものである。
【背景技術】
【０００２】
洗浄後の濡れた手の乾燥において、タオルやハンカチ等で払拭することなく、空気流を濡れた手に吹き付けその空気流で手に付着している水を吹き飛ばして乾燥させる手乾燥装置において、照明の光を用いて空気流の位置を使用者に指し示すような手乾燥装置が開発されている。例えば実開平５−５５９８８号公報には、感知手段によって手を感知したときにファンからの送風をヒータで加熱して温風噴出口から温風を放出し、温風噴出口からの温風の流れ方向を示す可視光を照射するようにした手乾燥装置が開示されている。また、特開２００７−８２９０４号公報には、凹状に形成された水受けと、水受けを形成する１つの面から噴流空気を噴出する噴流発生部と、噴流発生部と水受けの間に手を挿入して手を乾燥させるための処理空間と、光を照射する照射手段と、噴流発生部から噴出する空気を送出するファンモータを備え、照射手段により処理空間に向けて照射する照射光の光路と噴流発生部から噴出する空気の風路を一致させた手乾燥装置が開示されている。
【先行技術文献】
【特許文献】
【０００３】
【特許文献１】実開平５−５５９８８号公報（要約、図３）
【特許文献２】特開２００７−８２９０４号公報（請求項２、図１）
【発明の概要】
【発明が解決しようとする課題】
【０００４】
しかしながら、実開平５−５５９８８号公報および特開２００７−８２９０４号公報で開示されている従来の手乾燥装置では、どちらも空気流の流れに照射光を沿わしているだけなので、使用者が手を乾燥させる処理空間の照射光の光軸上に手を置いて、手に照射光を当てることで照射光の位置や範囲を知ることができたが、処理空間を通過する照射光は空気では反射しないのでそのままでは確認することができず、先ず処理空間に手を置いて照射光を手で反射させなければ照射光の位置や範囲がどこであるか正確には把握することができなかった。そのため、照射光に対して手を適正に位置させるためには、使用者は手を置くべき適正な位置がわからないままとりあえず手を処理空間に置き、手に当った照射光の位置を確認した後で、照射光が適正に手に当るように手の位置を修正しなければならず、手の位置を修正しなければ空気流も適切に手に当らず、使い勝手が悪いという問題があった。
【０００５】
本発明は、上記のような課題を解決するためになされたもので、使用者が手を乾燥させる処理空間に手を置かなくても空気流の位置を確認できる使い勝手のよい手乾燥装置を得ることを目的としている。
【課題を解決するための手段】
【０００６】
本発明の係る手乾燥装置は、外郭を形成するケーシングにより形成され正面または上面に向って開口した手挿入部と、手挿入部を形成する壁面の少なくとも一方の壁面に設けられ手挿入部へ空気流を吹き出すノズルと、壁面に設けられ手挿入部の手の有無を検知する手検知センサと、壁面に設けられ手挿入部へ照射光を照射する照明装置と、ケーシングに収納されノズルから空気流を吹き出させる空気流発生装置と、手検知センサの検知信号に応じて空気流発生装置の運転を制御する制御回路と、を備え、手挿入部を形成し壁面と対向する他方の壁面に照明装置からの照射光の像を投映させるとともに、照射光の像の側面方向の幅がノズルの側面方向の幅と同等か又は照射光の像の側面方向の幅がノズルの側面方向の幅より短く、かつ照射光の像の側面方向の中心とノズルの側面方向の中心が同じ位置であることを特徴とする。
【発明の効果】
【０００７】
本発明に係る手乾燥装置は、使用者が手を乾燥させる処理空間に手を置かなくても空気流の位置を確認でき、使い勝手を向上させることができる。
【図面の簡単な説明】
【０００８】
【図１】本発明の実施の形態１に係る手乾燥装置の外観を示す斜視図である。
【図２】本発明の実施の形態１に係る手乾燥装置の側面断面図である。
【図３】本発明の実施の形態１に係る手乾燥装置で、図１において矢視Ｘから見たノズル１２付近を示す説明図である。
【図４】本発明の実施の形態１に係る手乾燥装置の照射光を説明する正面図である。
【図５】本発明の実施の形態１に係る手乾燥装置で、図４において矢視Ｙから見た水受け４付近を示す部分説明図である。
【図６】本発明の実施の形態２に係る手乾燥装置の側面断面図である。
【発明を実施するための形態】
【０００９】
実施の形態１．
図１は本発明の実施の形態１に係る手乾燥装置の外観を示す斜視図である。図２は本発明の実施の形態１に係る手乾燥装置の右側面断面図である。図１および図２に示すように、手乾燥装置の外殻をなすケーシング１は、正面に手挿入口２を有し、手挿入口２に続く処理空間として手挿入部３を備えており、手を挿抜できるようにしてある。手挿入部３は、ケーシング１の正面下部に、正面と両側面が開放した開放シンク状の凹部として形成され、下部を形成する水受け部４と奥側とにはその端縁部に曲面構成の立ち上がりによる防壁構造５が設けられ、側方や前方に水が飛散しないようになっている。水受け部４の底部は前方に向かって下傾していて、その傾斜下端に排水口６が設けられている。水受け部４の下方には排水口６から滴下する水を貯留するドレン容器７が抜き差し自在に設けられている。なお、手挿入部３の内面には、シリコン系もしくはフッ素系等の撥水性コーティング、酸化チタン等の親水性を有するコーティング、又は抗菌剤が含浸され、内壁面に汚れが付着するのを軽減したり、細菌が繁殖するのを低減するようにしてある。手挿入部３を形成する上側の内壁面には、手挿入部３に向かって下方に高速空気を吹き出すノズル１２が設けられている。水受け部４は手挿入部３を形成する下側の内壁面であり、ノズル１２が設けられている上側の内壁面と手挿入部３を挟んで対向している。
【００１０】
手挿入部３の上方でケーシング１と背面側の手乾燥装置の外殻をなすベース８とで構成された箱体状の空間内には、整流子モータとターボファンとで構成される高圧空気流発生装置９と、高圧空気流発生装置９の吸気側とケーシング１の側面に設けられた吸気口１８とを連通する吸気通路１１と、高圧空流発生装置９の排気側とノズル１２とを連通する排気通路１３が設けられている。排気通路１３の途中でノズル１２より上流側近傍には高圧空気流発生装置９から送られてくる空気を加熱して温風化させるヒータ１１１が設けられている。
【００１１】
ノズル１２より背面側でケーシング１の内には、手検知センサ１０６および照明装置である青色に発光するＬＥＤ１２８を備えた回路基板１１４が設けられている。手検知センサ１０６の発光方向および受光方向、並びにＬＥＤ１２８の発光方向はいずれも手挿入部３に向って設けられ、手挿入部３の上側の内壁面を構成するケージング１の一部に設けられた可視光や赤外線を透す透光窓１ａ通して、手検知センサ１０６は手挿入部３の手の有無を検知し、ＬＥＤ１２８で発光された光は手挿入部３を照らしている。ＬＥＤ１２８と透光窓１ａとの間には、ＬＥＤ１２８で発光された照射光の一部を遮光する遮光手段として遮光部材１００が設けられている。尚、手検知センサ１０６とＬＥＤ１２８の光路は壁面により互いに遮断され互いに干渉しないようになっている。また、ケーシング１の内には、手検知センサ１０６の検知信号に応じて高圧空気流発生装置９の動作を制御する制御回路１５０が設けられている。
【００１２】
図３は、本発明の実施の形態１に係る手乾燥装置の説明図であり、図１において矢視Ｘから見たノズル１２付近を示す説明図である。ノズル１２は側面方向に線状に延びて設けられた細長いスリット状で、側面方向の幅Ｗ１はＷ１＝１２０ｍｍである。また、遮光部材１００は、ＬＥＤ１２８から発光された照射光が手挿入部３で側面方向に延びた帯状の照射光になるように、ノズルの長手方向に並行して側面方向に延びた細長いスリット状に形成されており、側面方向の幅Ｗ２＝７ｍｍである。ノズル１２と遮光部材１００は側面方向において中心位置が同じになるように設けてある。
【００１３】
尚、本実施の形態１では遮光部材１００をＬＥＤ１２８と透過窓１ａとの間に設けた例を示したが、遮光部材１００を設けなくても透過窓１ａを細長いスリット状に形成して透過窓１ａに遮光機能を設けてもよい。
【００１４】
手検知センサ１０６は、側面方向において、ノズル１２の中心より右側へ距離Ｌだけずれた位置に１つ設けられているおり、遮光部材１００と手検知センサ１０６がノズル１２に沿って側面方向に並んでいる。手検知センサ１０６は、赤外線の発光部と、発光された赤外線を受光する受光部とを備え、発光部の光軸方向に対象物があると発光部から発光された赤外線がその対象物で反射されるため、受光部はその反射された赤外線を受光し反射角度から対象物との距離を算出して対象物を検知する測距式のセンサである。
【００１５】
前後方向においては、ノズル１２より後側（背面側）、つまり手乾燥室の奥側に、遮光部材１００と手検知センサ１０６が位置している。
【００１６】
尚、本実施の形態１では、遮光部材１００と手検知センサ１０６がノズル１２に沿って側面方向に並んでいるが、更に、ノズル１２と平行に並べて設けても良い。
【００１７】
次に、照明装置について詳細に説明する。図４は、本発明の実施の形態１に係る手乾燥装置の説明図であり、照射光を説明する正面図である。図５は、本発明の実施の形態１に係る手乾燥装置の説明図であり、図４において矢視Ｙから見た水受け部４付近の部分図である。図４において、ＬＥＤ１２８から発光された照射光は遮光部材１００で部分的に遮光されて、長手方向が側面方向に向いているとともに側面方向の幅が幅Ｗ２の細長い照射光として形成され、透光窓１ａから手挿入部３に向って照射されている。ＬＥＤ１２８は点光源で放射状に光を発光しているため、遮光部材１００を通過した照射光は、遮光部材１００から離れるほど側面方向にも前後方向にも幅広く拡散している。図４においてＱは照射光の側面方向の端を表しており、左右の端Ｑの間が照射光の範囲を示す。
【００１８】
図５に示すように、手挿入３に照射された照射光は手挿入部３の底面である水受け部４に投映される。受け部４に投映された照射光の像は、側面方向の幅Ｗ３がノズルの幅でありＷ１と概ね同等（Ｗ３≒Ｗ１）の１２０ｍｍ程度、前後方向の幅Ｗ４が４０ｍｍ程度で水受け４の前面側を広範囲に照らしている。
【００１９】
次に、手検知センサ１０６について詳細を説明する。手乾燥装置に用いられる手の検知センサとしては、一般的に、赤外線の発光素子と受光素子を一つのパッケージに収め、発光素子から発光され手などの対象物で反射されて戻り受光素子で受光された赤外線の受光量に応じて手などの対象物の有無を検知する受光量を閾値とした反射式赤外線センサが用いられているため、対象物の有無の検知が対象物の赤外線の反射率に依存することになる。そのため手の検知センサとして使用する場合、手の色によって反射率が異なるため検知センサとしては適切に手の検知ができないという問題があるため本実施の形態１では、検知する対象物で反射された赤外線の受光量ではなく、対象物の位置を検知する測距式のセンサを用いている。
【００２０】
測距センサは同一部品内に発光部と受光部を備えており、数種の方式がある。本実施の形態１では、赤外線を発光し、発光された赤外線が対象物で反射され、その反射光を受光部で受光するとともに反射光の受光角度から対象物までの距離を検知する方式の測距センサである。尚、赤外線の代わりにレーザ光、超音波を用いてもよい。測距センサとしては、反射光の受光角度から距離を検知する方式以外にも、パルス信号を投光し往復時間から距離を検知する方式、正弦波信号を発信し投光信号と受光信号の位相差から距離を検知する方式のものを用いてもよい。いずれの方式の測距センサも指向性が強く、検知範囲はほぼ発信する光軸上付近だけである。
【００２１】
手検知センサ１０６の配置位置は、使用者がノズル１２からの空気流が手に当たる範囲内のどの位置に手を挿入しても検知できる位置に配置しなければ使い勝手が悪い。手乾燥装置の使用方法としては、手挿入部３に入れた両手を手挿入部３の中で互いに握り合いながらこすったりする手もみ動作や、両手を開いた状態で並べて手挿入部３に抜き差しを繰り返えす両手挿抜動作や、片手を開いた状態で手挿入部３に抜き差しを繰り返えし、乾燥したら手を入れ替えてもう一方の手も同様に抜き差しを繰り返えす片手挿抜動作が考えられる。
【００２２】
ノズル１２の側面方向の幅Ｗ１は１２０ｍｍである。『ＡＩＳＴ人体寸法データベース１９９１−９２』によれば、日本人女性の手の幅の５パーセンタイルは８３ｍｍである。手もみ動作は最大握り外径と手の形状が近いため、最大握り外径の８２ｍｍを手もみ寸法として代用する。
【００２３】
まず、ノズル１２の側面方向の中心の位置で手もみ動作をして手を乾燥させる場合、最大握り外径８２ｍｍであるため、ノズル１２の中心から側面方向に４１ｍｍ以内に手検知センサ１０６を配置する必要がある。以降の手検知センサ１０６とノズル１２との位置関係の説明においても、側面方向の寸法と明記することは省略するが、側面方向の寸法を表している。次に、ノズル１２の左端で手もみ動作で手を乾燥させる場合、８２−１２０／２＝２２ｍｍより、ノズル１２の中心から側面方向で右方向に２２ｍｍ以内に手検知センサ１０６を配置する必要がある。以上より、手もみ動作ではノズル１２の中心から２２ｍｍ以内に手検知センサ１０６を配置する必要がある。
【００２４】
同様に、片手挿抜動作では、手の幅８３ｍｍより、ノズル１２の中心から２３ｍｍ以内に手検知センサ１０６を配置する必要がある。
【００２５】
両手挿抜動作では、両手の合計幅がノズル１２の幅Ｗ１よりも大きいため、ノズル１２の幅Ｗ１の範囲内に手検知センサ１０６があれば、手を検知できる。ただし、両手を接触させ手の平が水平のまま挿抜する動作は非常に窮屈であるため、実際には両手をわずかに離して両手の間に隙間がある状態であるとともに、ハの字状または逆ハの字状に両手を傾けた状態で両手挿抜動作が行なわれる。ハの字状とは、両手の手の甲が上になるようにして、親指が小指より上方に位置するように傾けた状態である。また逆ハの字状とは、両手の平が上になるようにして親指側が小指側より上方に位置するように傾けた状態である。
【００２６】
ハの字状または逆ハの字状に傾けた状態において、左右の各々の手が４５°に傾けられていると想定すると、８３×ＳＩＮ（４５°）×２＝１１７ｍｍより、ノズル１２の中心から１.５ｍｍは手を検知できない死角となる。また、ハの字状の場合、ノズル１２の中心近傍は親指が位置するため、両手を手挿入部３から抜き始めたとき、親指の長さが短いため親指が抜き終わると１．５ｍｍの範囲内には手が存在しなくなってしまうため、やはり手を検知できない死角となる。更に、両手の間には少し隙間がある状態で使用されることが多く、ノズル１２の中心付近にその隙間ができるため、手を検知できない死角となりやすい。そのため、最低でもノズル１２の中心より１０ｍｍ程度ずらして設けることが好ましい。
【００２７】
以上より、大多数の使用者はノズル１２のほぼ中心で使用するため、使用者が特定された範囲の人に限られ、その人がノズル１２の中心で使用しようできる場合は、ノズル１２の中心とセンサ１０６との距離Ｌは、Ｌ＝１.５〜４１ｍｍにするとよい。
【００２８】
更に、Ｌ＝１.５〜２２ｍｍにすると、使用者が手にノズル１２の空気流が当たる範囲内のどの位置に手を挿入されてもほぼ手検知センサ１０６で手が検知されるので、更に良い。
【００２９】
更に、Ｌ＝１０〜２２ｍｍにすると、両手に隙間がある状態で手を挿入されても手検知センサ１０６で手が検知されるので、最も良い。
【００３０】
次に手を乾燥させる使用時の動作について説明する。ケーシング１の外郭に備えられた電源スイッチ（図示せず）を入り（ＯＮ）にすると、制御回路１５０に電源が通電され、ＬＥＤ１２８が点灯し、手検知センサ１０６が手挿入部３の中の手の有無を検知可能になり、手乾燥装置はいつでも手乾燥を行なうことできる使用可能状態（以下、待機状態とする）となる。
【００３１】
手乾燥装置の前に立った使用者は、水受け部４に投映された青色の照射光の帯が目視で確認できるので、その照射光の範囲内をめがけて、濡れた両手もしくは片手を手挿入口２から手挿入部３の中へ入れると、手検知センサ１０６ によって手の有りが検知され、制御回路１５０により高圧空気流発生装置９が作動する。
【００３２】
高圧空気流発生装置９が作動すると、手乾燥装置の外の空気がケーシング１の両側面に設けられた吸気口１８から吸い込まれる。吸気口１８から吸い込まれた空気は、吸気風路１１を通り、高圧空気流発生装置９の上方を通って背面側に向かい、下方に移動して高圧空気流発生装置９の吸込側から吸い込まれる。高圧空気流発生装置９は吸気側から吸い込んだ空気を排気側から高圧空気に変換して排気し、排気された高圧空気は排気風路１３を通りノズル１２ から高い運動エネルギーを持つ高速空気流に変換され手挿入部３内に下方に向かって吹き出される。
【００３３】
ノズル１２から吹き出された高速空気流は、手挿入部３に挿入されている濡れた手に当り、手に付着した水分を手の表面から剥離して吹き飛ばして手を乾燥させることができる。さらに、手挿入部３ 内で手を移動させることによって、手全体に付着していた水滴がすべて排除され、手が乾燥処理される。手挿入部３に挿入されている手のうち、ノズル１２からの空気流が当っている付近を照明光が明るく照らしているので、使用者は乾燥具合を常時確認することができる。尚、ケーシング１に設けられたヒータスイッチ(図示せず)をＯＮにしている場合には、ヒータ１１１が通電され排気風路１３を通る高圧空気が加熱されるため、ノズル１２からは温風が吹き出され冬場などにおいても冷風感なく使用することができる。
【００３４】
手の乾燥処理終了後、手を手挿入部３ から抜き出すと、手の無しを手検知センサ１０６ が検知し、高圧空気流発生装置９が停止する。手から吹き飛ばされた水滴は、前傾構造の水受け部４において排水口６に向かって流下し、排水口６からドレン容器７ に収容される。
【００３５】
以上の構成によれば、水受け部４に照射光が投映され、水受け部４に青色の帯状の照射光の像が映し出されているので、手乾燥装置の前に立った使用者は、水受け部４に投映された青色の照射光の像をめがけて、濡れた両手もしくは片手を手挿入口２から手挿入部３の中へ入れることができるので、初めての使用者でもどこに手を入れてよいか迷うことがなく使い勝手がよい。
【００３６】
更に、水受け部４に投映した青色の帯状の照射光の像の幅Ｗ３が、側面方向においてノズル１２の幅Ｗ１とほぼ同等の幅になっているので、手乾燥装置の前に立った使用者は、水受け部４に投映された青色の照射光の像の幅Ｗ３の範囲をめがけて、濡れた両手もしくは片手を手挿入口２から手挿入部３の中へ入れれば、確実にノズル１２からの空気流の範囲に手を挿入することができるので、手挿入部３に手を入れた後で空気流が適正に当るように手の位置を修正する必要もなく、非常に使い勝手がよい。
【００３７】
更に、尚本実施の形態１では、例示していないが、受け部４に投映された照射光の像の側面方向の幅Ｗ３をノズル１２の幅Ｗ１より短く（例えばＷ３＝６０ｍｍなどにしてＷ３＜Ｗ１）してもよく、そうすれば、使用者が照射光の像の幅Ｗ３の範囲をめがけて手を入れたが意図せずに側面方向に多少ずれてしまっても、ノズル１２から空気流の幅Ｗ１の範囲からはみ出してしまうことがなく、使い勝手がよい。
【００３８】
また、照射光の側面方向の幅がノズル１２から離れるほど大きくなっているので、手をノズル１２に近づけるほど照射光の幅が狭くなり、ノズル１２の中心に手を誘導することができるので、手挿入部３の中で手もみ動作など手を大きく動かす場合でも、ノズル１２からの空気流の範囲から手がはみ出してしまうことを防止することができる。
【００３９】
また、手検知センサ１０６は測距式のセンサを用いているので、挿入される手の色によって影響されることなく手の有無を検知することができる。
【００４０】
また、手検知センサ１０６は測距式のセンサを用いているので、測距式のセンサの特性上、検知範囲は指向性が強く非常に狭い範囲であるが、側面方向においてノズル１２の中心位置からずらした位置に手検知センサ１０６を配置しているので、挿入された両手の間に隙間があっても、手検知センサ１０６で手を検知することができる。
【００４１】
更に、側面方向において、ノズル１２の中心と手検知センサ１０６との距離ＬをＬ＝１.５ｍｍ〜４１ｍｍにしたので、大多数の使用者がノズル１２の中心付近に手を入れて使用することから、手挿入部３に手検知センサを１つにしても、ほぼ問題なく手検知センサ１０６で手を検知することができるとともに、待機時の手検知センサでの消費電力を極力低減することがきる。
【００４２】
更に、ノズル１２の中心と手検知センサ１０６との距離ＬをＬ＝１.５ｍｍ〜２２ｍｍにすれば、手挿入部３に設けた手検知センサ１０６が１つでも、待機時の手検知センサでの消費電力を極力低減することがきるとともに、更に使用者が手にノズル１２からの空気流が当たる範囲内のどの位置に手を挿入されてもほぼ手検知センサ１０６で手を検知でき、より確実に手を検知することができる。
【００４３】
更に、ノズル１２の中心と手検知センサ１０６との距離ＬをＬ＝１０ｍｍ〜２２ｍｍにすれば、手挿入部３に設けた手検知センサ１０６が１つでも、待機時の手検知センサでの消費電力を極力低減することがきるとともに、更に両手に隙間がある状態で手を挿入されても手検知センサ１０６で手を検知でき、最も確実に手を検知することができる。
【００４４】
実施の形態２．
図６は本発明の実施の形態２に係る手乾燥装置の右側面断面図である。図６に示すように、ケーシング１は上方と側面側が開口し側面から見て略Ｕ字形の手挿入部３を備えており、手挿入部３の正面側の内壁面と、対向する背面側の内壁面にノズル１２をそれぞれ設け、ノズル１２から噴出される空気流を互いに対向させて手挿入部３に噴出させている。手挿入部３の背面側の内壁面には手検知センサ１０６とＬＥＤ１２８が手挿入部３に向って設けられている。ＬＥＤ１２８から照射された照射光は手挿入部３の正面側の内壁面に青い色の帯の照射光の像として投映されている。手挿入部３のＵ字形の底部には、排水口（図示せず）が設けられ、排水口（図示せず）とドレン容器７の間には配水管（図示せず）が設けられ、手挿入部３で発生した水を排水口（図示せず）および配水管（図示せず）を介してドレン容器７へ導いている。
【００４５】
実施の形態１との主要な相違点は、上述した通りであり、それ以外は実施の形態１と同等なので、説明は省略する。
【００４６】
以上の構成によれば、実施の形態１と同等の効果がある。
【符号の説明】
【００４７】
１  ケーシング
１ａ  透光窓
２  手挿入口
３  手挿入部
４  水受け部
５  防壁構造
６  排水口
７  ドレン容器
８  ベース
９  高圧空気流発生装置
１１  吸気通路
１２  ノズル
１３  排気通路
１６  カバー
１８  吸気口
１００  遮光部材
１０６  手検知センサ
１１１  ヒータ
１１４  回路基板
１２８  ＬＥＤ（照明装置）
１５０  制御回路
Ｌ  距離
Ｑ  照射光の端
Ｘ  矢視
Ｙ  矢視
Ｗ１  ノズルの幅
Ｗ２  照射光の幅
Ｗ３  照射光の幅
Ｗ４  照射光の幅
【図１】
2014064820.tif 000003
【図２】
2014064820.tif 000004
【図３】
2014064820.tif 000005
【図４】
2014064820.tif 000006
【図５】
2014064820.tif 000007
【図６】
2014064820.tif 000008